(57)【要約】【課題】洗浄水タンク全体が大きく傾くことにより便器本体や床面に衝突して破損してしまうことを未然に防ぐことができる水洗大便器を提供する。【解決手段】本発明の水洗大便器１は、便器本体２と、洗浄水タンク１０と、この洗浄水タンクから供給される洗浄水を便器本体に供給する接続経路８，３６と、を有し、洗浄水タンク１０は、貯水部４０を左右中央で二分割したときに貯水部内の容積Ｖ１が大きい側である大タンク部４４と、貯水部を左右中央で二分割したときに貯水部内の容積Ｖ１が小さい側である小タンク部４６と、を備えており、接続経路の上流端３６ａは、大タンク部に接続されている一方、接続経路の下流端８ａは、便器本体における左右中央で二分割したうちの他方側に接続されている。【選択図】図４
2020165171.tif 000002
【特許請求の範囲】
【請求項１】
洗浄水により洗浄されて汚物を排出する水洗大便器であって、
汚物を受けるボウル部と、このボウル部内の汚物を排出する排水トラップ部と、を備えた便器本体と、
床面よりも上方に設けられ且つ上記便器本体に供給する洗浄水を貯水する貯水部を備えた洗浄水タンクであって、上記便器本体のタンク収容部に別体に設置される上記洗浄水タンクと、
上記洗浄水タンクと上記便器本体とを接続し、上記洗浄水タンクから供給される洗浄水を上記便器本体に供給する接続経路と、を有し、
上記洗浄水タンクは、上記貯水部を左右中央で二分割したときに上記貯水部内の容積が大きい側である大タンク部と、上記貯水部を左右中央で二分割したときに上記貯水部内の容積が小さい側である小タンク部と、を備えており、
上記大タンク部は、上記便器本体における左右中央で二分割したうちの一方側に形成された上記タンク収容部に設置される一方、上記小タンク部は、上記便器本体における左右中央で二分割したうちの他方側に形成された上記タンク収容部に設置されており、
上記接続経路の上流端は、上記大タンク部に接続されている一方、上記接続経路の下流端は、上記便器本体における左右中央で二分割したうちの他方側に接続されていることを特徴とする水洗大便器。
【請求項２】
上記大タンク部は、少なくとも一部が上記便器本体における左右中央で二分割したうちの一方側に形成された上記タンク収容部内の上記排水トラップ部の外側に配置されており、
上記小タンク部は、少なくとも一部が上記便器本体における左右中央で二分割したうちの他方側に形成された上記タンク収容部内の上記排水トラップ部の外側に配置されている請求項１記載の水洗大便器。
【請求項３】
上記排水トラップ部は、上記便器本体の左右中央に設けられており、上記接続経路の上流端は、上記大タンク部の左右側面のうちの上記排水トラップ部側の側面に接続されている請求項２記載の水洗大便器。
【請求項４】
上記接続経路は、上記洗浄水タンクから流入した洗浄水を下流側へ圧送するポンプと、このポンプによって圧送された洗浄水を上記便器本体へ供給する給水管路と、を備えている請求項１乃至３の何れか１項に記載の水洗大便器。
【請求項５】
上記ポンプは、上記ボウル部よりも後方で且つ上記排水トラップ部の上方に配置されている請求項４記載の水洗大便器。
【請求項６】
上記ポンプは、上記接続経路の上流端及び下流端よりも上記便器本体の左右中央側に設けられている請求項４又は５に記載の水洗大便器。
【請求項７】
上記大タンク部の底面は、上記小タンク部の底面よりも下方に位置しており、上記大タンク部内には、上記接続経路の上流端に接続されている吸引管が設けられており、
上記ポンプは、作動時において上記洗浄水タンク内の洗浄水を上記吸引管から上記接続経路内に吸引するように構成されている請求項４乃至６の何れか１項に記載の水洗大便器。
【発明の詳細な説明】
【技術分野】
【０００１】
本発明は、水洗大便器に係り、特に、洗浄水により洗浄されて汚物を排出する水洗大便器に関する。
【背景技術】
【０００２】
近年、水洗大便器のデザイン性の向上を目的として、洗浄水を貯水するタンクが組み込まれた便器本体全体の上端を可能な限り低く設計する、いわゆる、「ローシルエット化」への要望が高まっている。
そこで、洗浄水により洗浄されて汚物を排出する従来の水洗大便器として、例えば、特許文献１に記載されているように、便器本体のローシルエット化を実現しつつタンク容量を確保するために、便器洗浄用の洗浄水が貯水される２つの別体の洗浄水タンク（第１タンク及び第２タンク）のそれぞれが互いに便器本体のボウル部の後方及び下方のそれぞれの収容スペースに収容されているものが知られている。
【先行技術文献】
【特許文献】
【０００３】
【特許文献１】特開２０１６−１８０３０５号公報
【発明の概要】
【発明が解決しようとする課題】
【０００４】
しかしながら、上述した従来の水洗大便器においては、特に、便器本体のボウル部の後方に収容される第１タンクについては、その周辺にも様々な機能部品が配置されている。  これにより、タンク形状については、これらの周辺機能部品との干渉を回避するように、左右非対称で歪な形状となっている。
また、上述した従来の水洗大便器では、第１タンクが床面よりも上方に配置されているため、第１タンクの固定がしっかり行なわれていない場合には、左右非対称で歪な形状のタンクが傾いてしまうおそれがあるという問題がある。
さらに、このような第１タンクが傾いて転倒してしまうと、第１タンクが便器本体や床に衝突して破損してしまうおそれがあるという問題がある。
【０００５】
そこで、本発明は、上述した従来の問題点を解決するためになされたものであり、洗浄水タンク全体が大きく傾くことにより便器本体や床面に衝突して破損してしまうことを未然に防ぐことができる水洗大便器を提供すること目的としている。
【課題を解決するための手段】
【０００６】
上述した課題を解決するために、本発明は、洗浄水により洗浄されて汚物を排出する水洗大便器であって、汚物を受けるボウル部と、このボウル部内の汚物を排出する排水トラップ部と、を備えた便器本体と、床面よりも上方に設けられ且つ上記便器本体に供給する洗浄水を貯水する貯水部を備えた洗浄水タンクであって、上記便器本体のタンク収容部に別体に設置される上記洗浄水タンクと、上記洗浄水タンクと上記便器本体とを接続し、上記洗浄水タンクから供給される洗浄水を上記便器本体に供給する接続経路と、を有し、上記洗浄水タンクは、上記貯水部を左右中央で二分割したときに上記貯水部内の容積が大きい側である大タンク部と、上記貯水部を左右中央で二分割したときに上記貯水部内の容積が小さい側である小タンク部と、を備えており、上記大タンク部は、上記便器本体における左右中央で二分割したうちの一方側に形成された上記タンク収容部に設置される一方、上記小タンク部は、上記便器本体における左右中央で二分割したうちの他方側に形成された上記タンク収容部に設置されており、上記接続経路の上流端は、上記大タンク部に接続されている一方、上記接続経路の下流端は、上記便器本体における左右中央で二分割したうちの他方側に接続されていることを特徴としている。
このように構成された本発明においては、便器本体のタンク収容部に洗浄水タンクが設置された状態において、洗浄水タンクの貯水部の大タンク部と小タンク部との互いの容積が異なるため、貯水部内の重量のアンバランスが生じることにより、大タンク部が下方になり且つ小タンク部が上方になるような傾きが生じ、水平状態の洗浄水タンク全体に対して傾かせようとする力が作用する場合がある。
しかしながら、このような洗浄水タンク全体を傾かせようとする力が発生している状態であっても、接続経路の上流端が大タンク部に接続されていると共に、接続経路の下流端が便器本体における左右中央で二分割したうちの他方側に接続されているため、接続経路全体が、洗浄水タンク全体が傾こうとする動きを効果的に拘束することができる。
これにより、タンク収容部に設置された状態の洗浄水タンク全体を水平状態に維持することができるため、タンク収容部に設置された洗浄水タンク全体が大きく傾くことにより洗浄水タンクが便器本体や床面に衝突して破損してしまうことを未然に防ぐことができる。
【０００７】
本発明において、好ましくは、上記大タンク部は、少なくとも一部が上記便器本体における左右中央で二分割したうちの一方側に形成された上記タンク収容部内の上記排水トラップ部の外側に配置されており、上記小タンク部は、少なくとも一部が上記便器本体における左右中央で二分割したうちの他方側に形成された上記タンク収容部内の上記排水トラップ部の外側に配置されている。
このように構成された本発明においては、洗浄水タンクの大タンク部及び小タンク部のそれぞれを設置するスペースとして、排水トラップ部の外側の周辺スペースを便器本体のタンク収容部の一部として利用することができるため、洗浄水タンク全体の高さ位置を制限しつつ、洗浄水が貯水される貯水部内の容積を十分に確保することができる。
したがって、便器本体とタンク本体とを含む水洗大便器全体の高さを低く設計する、いわゆる、「ローシルエット化」を実現することができるため、水洗大便器全体の意匠性を向上させることができる。
【０００８】
本発明において、好ましくは、上記排水トラップ部は、上記便器本体の左右中央に設けられており、上記接続経路の上流端は、上記大タンク部の左右側面のうちの上記排水トラップ部側の側面に接続されている。
このように構成された本発明においては、排水トラップ部が便器本体の左右中央に設けられており、接続経路の上流端が大タンク部の左右側面のうちの排水トラップ部側の側面に接続されているため、接続経路の上流端を便器本体の左右中央寄りに位置決めすることができる。
これにより、便器本体の左右中央寄りに位置決めされた接続経路の上流端から、便器本体における左右中央で二分割したうちの他方側に接続されている接続経路の下流端までの接続経路全体の長さや高さを抑制することができる。
したがって、水洗大便器のローシルエット化を実現することができる。
【０００９】
本発明において、好ましくは、上記接続経路は、上記洗浄水タンクから流入した洗浄水を下流側へ圧送するポンプと、このポンプによって圧送された洗浄水を上記便器本体へ供給する給水管路と、を備えている。
このように構成された本発明においては、接続経路の一部にポンプを組み込むことができ、また、接続経路について、ポンプによって圧送された洗浄水を便器本体へ供給する給水管路としても利用することができる。
したがって、洗浄水タンクの洗浄水を圧送してから便器本体に給水するまでの機能を接続経路に集約させることができるため、部品点数と製造コストを抑制することができると共に、便器洗浄を効率良く行うことができる。
【００１０】
本発明において、好ましくは、上記ポンプは、上記ボウル部よりも後方で且つ上記排水トラップ部の上方に配置されている。
このように構成された本発明においては、ポンプが便器本体のボウル部よりも後方で且つ排水トラップ部の上方に配置されているため、ポンプにおける接続作業やメンテナンス作業等を行う際の作業スペースを確保することができる。
したがって、ポンプの保守点検等を容易に行うことができ、作業負担を軽減することができる。
【００１１】
本発明において、好ましくは、上記ポンプは、上記接続経路の上流端及び下流端よりも上記便器本体の左右中央側に設けられている。
このように構成された本発明においては、ポンプが接続経路の上流端及び下流端よりも便器本体の左右中央側に設けられているため、ポンプが洗浄水タンク内から洗浄水を吸い込むための吸込み経路の長さとポンプから便器本体に圧送する供給経路（給水管路）の長さとをバランスよく設定することができる。
したがって、このようなポンプにより、洗浄水タンク内の洗浄水を便器本体へ効率良く供給することができるため、便器の洗浄性能を高めることができる。
【００１２】
本発明において、好ましくは、上記大タンク部の底面は、上記小タンク部の底面よりも下方に位置しており、上記大タンク部内には、上記接続経路の上流端に接続されている吸引管が設けられており、上記ポンプは、作動時において上記洗浄水タンク内の洗浄水を上記吸引管から上記接続経路内に吸引するように構成されている。
このように構成された本発明においては、大タンク部内に吸引管を設けると共に、この吸引管を接続経路の上流端に接続することにより、ポンプの作動時には、洗浄水タンク内の洗浄水を便器本体へ効率良く供給することができる。
【発明の効果】
【００１３】
本発明の水洗大便器によれば、洗浄水タンク全体が大きく傾くことにより便器本体や床面に衝突して破損してしまうことを未然に防ぐことができる。
【図面の簡単な説明】
【００１４】
【図１】本発明の一実施形態による水洗大便器を斜め後方且つ上方から見た概略斜視図である。
【図２】本発明の一実施形態による水洗大便器の全体構成図である。
【図３】本発明の一実施形態による水洗大便器のタンクユニットの部分を拡大した部分拡大平面図である。
【図４】図３のＩＶ−ＩＶ線に沿った断面図である。
【図５】本発明の一実施形態による水洗大便器の貯水タンクのタンク本体を斜め後方且つ上方から見た斜視図である。
【図６】本発明の一実施形態による水洗大便器の貯水タンクのタンク本体を示す背面図である。
【発明を実施するための形態】
【００１５】
以下、添付図面を参照して、本発明の一実施形態による水洗大便器について説明する。
まず、図１は、本発明の一実施形態による水洗大便器を斜め後方且つ上方から見た概略斜視図である。また、図２は、本発明の一実施形態による水洗大便器の全体構成図である。
図１及び図２に示すように、本発明の一実施形態による水洗大便器１は、便器本体２と、その後方側に設けられた洗浄水タンク（タンク装置４）と、を備えている。
また、便器本体２は、汚物を受けるボウル部２ａと、このボウル部２ａの底部から延びてボウル部２ａ内の汚物を排出する排水トラップ部（排水トラップ管２ｂ）と、ボウル部２ａの上縁に形成されるリム部２ｃと、を備えている。
【００１６】
つぎに、図１及び図２に示すように、タンク装置４は、その上流側及び下流側にそれぞれ接続された給水管６及び吐水管８をそれぞれ備えている。
給水管６の上流側は、水道等の外部の給水源（図示せず）に接続されている。一方、給水管６の下流側は、タンク装置４の貯水部（詳細は後述する貯水タンク１０）に接続されている。これらにより、給水管６から貯水タンク１０に洗浄水が供給されるようになっている。
また、給水管６には、上流側から下流側に向かって、止水栓１２、バルブユニット１４がそれぞれ設けられている。
さらに、バルブユニット１４は、給水管６に設けられた定流量弁１６、及び、この定流量弁１６の下流側に設けられたダイヤフラム式の電磁弁１８をそれぞれ含む。
【００１７】
つぎに、図１及び図２に示すように、タンク装置４は、さらに、給水管６のバルブユニット１４の下流側に接続されている連結ユニット２０と、この連結ユニット２０の下流側に接続されて貯水タンク１０を含むタンクユニット２２とを備えている。
バルブユニット１４において、定流量弁１６により流量が一定に調整された給水管６内の洗浄水は、電磁弁１８の開閉により連結ユニット２０を供給された後、連結ユニット２０からタンクユニット２２に供給されるようになっている。
【００１８】
また、図２に示すように、連結ユニット２０は、ハウジング２４と、オーバーフロー管２６と、逆止弁２８と、を備えている。
まず、ハウジング２４は、その下方開口部２４ａがタンクユニット２２の貯水タンク１０の上方開口部１０ａに着脱可能に接続されている
また、オーバーフロー管２６は、ハウジング２４の側壁の一部に設けられたオーバーフロー口２４ｂと吐水管８とを接続している。この吐水管８は、その上流側がタンク装置４のポンプ３０に接続されている接続管路（接続経路）であり、その下流側が便器本体２のリム部２ｃの内部の導水路（リム導水路２ｄ）に接続されている接続管路（接続経路）である。
さらに、逆止弁２８は、オーバーフロー口２４ｂに設けられており、ハウジング２４内の洗浄水がオーバーフロー口２４ｂからオーバーフロー管２６に流入することを可能にする一方、オーバーフロー管２６内の洗浄水がハウジング２４内へ逆流することを妨げることができるようになっている。
【００１９】
つぎに、図２に示すように、タンクユニット２２は、詳細は後述する貯水タンク１０と、ポンプ３０と、フロートスイッチ３２と、水抜き栓３４と、を備えている。
ポンプ３０は、吐水管８の上流側に接続されている接続管路（通水管３６）の一部（途中）に設けられている。この通水管３６の上流端３６ａは、貯水タンク１０内に設けられた吸引管３８の下流端３８ａに接続されている。
貯水タンク１０内に貯水されている洗浄水は、ポンプ３０が作動することにより、吸引管３８から通水管３６内に吸引された後、ポンプ３０を経て吐水管８に圧送されるようになっている。
そして、吐水管８から便器本体２のリム導水路２ｄに供給された洗浄水が、リム導水路２ｄの下流端の吐水口２ｅからボウル部２ａ内に吐水され、便器洗浄が行われるようになっている。
すなわち、互いが接続されている接続管路（接続経路）であるこれらの通水管３６及び吐水管８は、貯水タンク１０からポンプ３０によって圧送された洗浄水を便器本体２に供給する給水管路として機能するようになっている。
【００２０】
フロートスイッチ３２は、貯水タンク１０内の水位を検知するものであり、バルブユニット１４の電磁弁１８の開閉動作は、フロートスイッチ３２が検知した貯水タンク１０内の水位に基づいて制御されるようになっている。
例えば、フロートスイッチ３２が検知した貯水タンク１０内の水位が所定以下である場合には、電磁弁１８が開弁して給水管６が開放され、貯水タンク１０内の水位が所定水位まで到達すると、電磁弁１８が閉弁して給水管６が閉鎖されるようになっている。
【００２１】
水抜き栓３４は、貯水タンク１０の底面に設けられている。この水抜き栓３４は、通常使用時では、常時閉鎖されており、必要に応じて開放され、貯水タンク１０内の洗浄水を外部に排出することができるようになっている。
【００２２】
つぎに、図３〜図６を参照して、タンクユニット２２の貯水タンク１０及びポンプ３０の詳細について説明する。
図３は、本発明の一実施形態による水洗大便器のタンクユニットの部分を拡大した部分拡大平面図である。また、図４は、図３のＩＶ−ＩＶ線に沿った断面図である。
まず、図３及び図４に示すように、タンクユニット２２の貯水タンク１０は、単一のタンク本体４０と、このタンク本体４０の外側を覆う防露材４２とを備えている。
つぎに、図５は、本発明の一実施形態による水洗大便器の貯水タンクのタンク本体を斜め後方且つ上方から見た斜視図である。また、図６は、本発明の一実施形態による水洗大便器の貯水タンクのタンク本体を示す背面図である。
図３〜図６に示すように、タンクユニット２２の貯水タンク１０を左右中央で二分割する仮想の鉛直面を「鉛直面Ａ１」とすると、貯水タンク１０の単一のタンク本体４０は、鉛直面Ａ１に対して左右に大タンク部４４及び小タンク部４６をそれぞれ備えており、鉛直面Ａ１によって、大タンク部４４と小タンク部４６とに左右に二分割されている。
すなわち、図４に示すように、大タンク部４４は、タンク本体４０を背面側から見て鉛直面Ａ１の左側に配置され、小タンク部４６は、タンク本体４０を背面側から見て鉛直面Ａ１の右側に配置されており、大タンク部４４の容積Ｖ１は、小タンク部４６の容積Ｖ２よりも大きく設定（Ｖ１＞Ｖ２）されている。
【００２３】
つぎに、図４に示すように、便器本体２は、ボウル部２ａよりも後方側の領域において、大タンク部４４及び小タンク部４６のそれぞれを床面よりも上方の位置で収容する大タンク収容部Ｓ１及び小タンク収容部Ｓ２をそれぞれ備えている。
すなわち、大タンク収容部Ｓ１は、便器本体２のボウル部２ａよりも後方側の領域において、左右中央で二分割した鉛直面Ａ１に対して左右一方側（便器本体２を背面側から見て鉛直面Ａ１の左側）に形成されている。
一方、小タンク収容部Ｓ２は、便器本体２のボウル部２ａよりも後方側の領域において、鉛直面Ａ１に対して左右他方側（便器本体２を背面側から見て鉛直面Ａ１の右側）に形成されている。
【００２４】
また、図４〜図６に示すように、大タンク部４４及び小タンク部４６のそれぞれが大タンク収容部Ｓ１及び小タンク収容部Ｓ２のそれぞれに設置された状態では、大タンク部４４の底面４４ａの最低位置Ｐ１が、小タンク部４６の底面４６ａの最低位置Ｐ２よりも下方に位置している。
さらに、図４〜図６に示すように、大タンク部４４及び小タンク部４６のそれぞれが大タンク収容部Ｓ１及び小タンク収容部Ｓ２のそれぞれに設置された状態では、大タンク部４４の上面４４ｂの位置Ｐ３が、小タンク部４６の上面４６ｂの位置Ｐ４よりも上方に位置し、かつ、便器本体２のリム部２ｃの上面２ｇよりも下方に位置している。
【００２５】
ちなみに、図３及び図４に示すように、吸引管３８は、タンク本体４０の大タンク部４４内に設けられており、吐水管８の上流側に接続されている通水管３６の上流端３６ａは、大タンク部４４の一部である吸引管３８の下流端３８ａに水密に接続されている。
また、図３に示すように、通水管３６の下流側に接続されている吐水管８の下流端８ａは、便器本体２の鉛直面Ａ１に対して左右他方側（便器本体２を背面側から見て鉛直面Ａ１よりも右側）のリム導水路２ｄの入口２ｆに接続されている。
【００２６】
つぎに、図４に示すように、大タンク部４４は、その鉛直面Ａ１側（左右中央側）の側壁面４４ｃが大タンク収容部Ｓ１内における排水トラップ管２ｂの外側（排水トラップ管２ｂを背面側から見て左側）に配置されている。
同様に、小タンク部４６は、その鉛直面Ａ１側（左右中央側）の側壁面４６ｃが小タンク収容部Ｓ２内における排水トラップ管２ｂの外側（排水トラップ管２ｂを背面側から見て右側）に配置されている。
また、図４及び図５に示すように、排水トラップ管２ｂは、便器本体２の左右中央に設けられており、通水管３６の上流端３６ａは、大タンク部４４の左右側面のうちの排水トラップ管２ｂ側の側壁面４４ｃに接続されている。
【００２７】
つぎに、図３及び図４に示すように、ポンプ３０は、便器本体２のボウル部２ａよりも後方で且つ排水トラップ管２ｂの上方に配置されている。
また、ポンプ３０は、通水管３６の上流端３６ａ及び吐水管の下流端８ａよりも便器本体２の左右中央側に設けられている。
【００２８】
つぎに、図１〜図６を参照して、上述した本発明の一実施形態による水洗大便器１の作用について説明する。
まず、本実施形態による水洗大便器１によれば、便器本体２のタンク収容部Ｓ１，Ｓ２に貯水タンク１０が設置された状態において、貯水タンク１０のタンク本体４０の大タンク部４４の容積Ｖ１と小タンク部４６の容積Ｖ２とが異なる。これにより、タンク本体４０内の重量のアンバランスが生じることにより、容積の大きい側の大タンク部４４が下方になり且つ容積の小さい側の小タンク部４６が上方になるような傾きが生じ、水平状態の貯水タンク１０の全体に対して傾かせようとする力Ｆ（図４参照）が作用する場合がある。
しかしながら、このような貯水タンク１０の全体を傾かせようとする力Ｆが発生している状態であっても、通水管３６の上流端３６ａが大タンク部４４の一部である吸引管３８の下流端３８ａに接続されていると共に、吐水管８の下流端８ａが便器本体２の鉛直面Ａ１に対して左右他方側（便器本体２を背面側から見て鉛直面Ａ１よりも右側）のリム導水路２ｄの入口２ｆに接続されている。
これらにより、通水管３６の上流端３６ａから吐水管８の下流端８ａまでの接続管路全体が、貯水タンク１０の全体が傾こうとする動きを効果的に拘束することができる。
したがって、便器本体２のタンク収容部Ｓ１，Ｓ２に設置された状態の洗浄水タンク全体を水平状態に維持することができるため、タンク収容部に設置された貯水タンク１０の全体が大きく傾くことにより貯水タンク１０が便器本体２や床面に衝突して破損してしまうことを未然に防ぐことができる。
【００２９】
また、本実施形態による水洗大便器１によれば、貯水タンク１０の大タンク部４４及び小タンク部４６のそれぞれを設置するスペースとして、排水トラップ管２ｂの外側の周辺スペースを便器本体２のタンク収容部Ｓ１，Ｓ２の一部として利用することができる。
さらに、大タンク部４４及び小タンク部４６のそれぞれが大タンク収容部Ｓ１及び小タンク収容部Ｓ２のそれぞれに設置された状態では、大タンク部４４の上面４４ｂの位置Ｐ３が、小タンク部４６の上面４６ｂの位置Ｐ４よりも上方に位置し、かつ、便器本体２のリム部２ｃの上面２ｇよりも下方に位置している。
したがって、貯水タンク１０の全体の高さ位置を制限しつつ、洗浄水が貯水される貯水部内の容積を十分に確保することができる。
よって、便器本体２とタンク装置４とを含む水洗大便器１の全体の高さを低く設計する、いわゆる、「ローシルエット化」を実現することができるため、水洗大便器１の全体の意匠性を向上させることができる。
【００３０】
さらに、本実施形態による水洗大便器１によれば、排水トラップ管２ｂが便器本体２の左右中央に設けられており、通水管３６の上流端３６ａは、大タンク部４４の左右側面のうちの排水トラップ管２ｂ側の側壁面４４ｃに接続されている。
これにより、通水管３６の上流端３６ａを便器本体２の左右中央寄りに位置決めすることができる。
したがって、便器本体２の左右中央寄りに位置決めされた通水管３６の上流端３６ａから、便器本体２における左右中央で二分割したうちの他方側に接続されている吐水管８の下流端８ａまでの接続管路全体の長さや高さを抑制することができるため、水洗大便器１のローシルエット化を実現することができる。
【００３１】
また、本実施形態による水洗大便器１によれば、通水管３６の一部にポンプを組み込むことができ、また、通水管３６や吐水管８の接続管路について、ポンプ３０によって圧送された洗浄水を便器本体２のリム導水路２ｄへ供給する給水管路としても利用することができる。
したがって、タンク本体４０の洗浄水を圧送してから便器本体２に給水するまでの機能を接続管路（通水管３６）に集約させることができるため、部品点数と製造コストを抑制することができると共に、便器洗浄を効率良く行うことができる。
【００３２】
さらに、本実施形態による水洗大便器１によれば、ポンプ３０が便器本体２のボウル部２ａよりも後方で且つ排水トラップ管２ｂの上方に配置されている。
これにより、ポンプ３０における接続作業やメンテナンス作業等を行う際の作業スペースを確保することができる。
したがって、ポンプ３０の保守点検等を容易に行うことができ、作業負担を軽減することができる。
【００３３】
また、本実施形態による水洗大便器１によれば、ポンプ３０が通水管３６の上流端３６ａ及び吐水管８の下流端８ａよりも便器本体２の左右中央側に設けられている。
これにより、ポンプ３０がタンク本体４０内の吸引管３８から通水管３６に洗浄水を吸い込むための吸込み経路の長さと、ポンプ３０から吐水管８を経て便器本体２に圧送する供給経路（給水管路）の長さとをバランスよく設定することができる。
したがって、このようなポンプ３０により、タンク本体４０内の洗浄水を便器本体２へ効率良く供給することができるため、水洗大便器１の洗浄性能を高めることができる。
【００３４】
さらに、本実施形態による水洗大便器１によれば、タンク本体４０の大タンク部４４の底面４４ａが小タンク部４６の底面４６ａよりも下方に位置しており、大タンク部４４内には、通水管３６の上流端３６ａに接続されている吸引管３８が設けられている。
これにより、ポンプ３０の作動時には、タンク本体４０内の洗浄水を吸引管３８から通水管３６及び吐水管８を経て便器本体２のリム導水路２ｄへ効率良く供給することができる。
【符号の説明】
【００３５】
１    本発明の一実施形態による水洗大便器
２    便器本体
２ａ  ボウル部
２ｂ  排水トラップ管（排水トラップ部）
２ｃ  リム部
２ｄ  リム導水路
２ｅ  吐水口
２ｆ  リム導水路の入口
２ｇ  リム部の上面
４    タンク装置（洗浄水タンク）
６    給水管
８    吐水管（接続経路、給水管路）
８ａ  吐水管の下流端
１０    貯水タンク（貯水部）
１０ａ  上方開口部
１２    止水栓
１４    バルブユニット
１６    定流量弁
１８    電磁弁
２０    連結ユニット
２２    タンクユニット
２４    ハウジング
２４ａ  下方開口部
２４ｂ  オーバーフロー口
２６    オーバーフロー管
２８    逆止弁
３０    ポンプ
３２    フロートスイッチ
３４    水抜き栓
３６    通水管（接続経路、給水管路）
３６ａ  通水管の上流端
３８    吸引管
３８ａ  吸引管の下流端
４０    タンク本体（貯水部）
４２    防露材
４４    大タンク部
４４ａ  大タンク部の底面
４４ｂ  大タンク部の上面
４４ｃ  大タンク部の側壁面
４６    小タンク部
４６ａ  小タンク部の底面
４６ｂ  小タンク部の上面
４６ｃ  小タンク部の側壁面
Ａ１  貯水タンクを左右中央で二分割する鉛直面
Ｆ    水平状態の貯水タンクを傾かせようとする力
Ｐ１  大タンク部の底面の最低位置
Ｐ２  小タンク部の底面の最低位置
Ｐ３  大タンク部の上面の位置
Ｐ４  小タンク部の上面の位置
Ｓ１  便器本体の大タンク収容部（タンク収容部）
Ｓ２  便器本体の小タンク収容部（タンク収容部）
Ｖ１  大タンク部の容積
Ｖ２  小タンク部の容積
【図１】
2020165171.tif 000003
【図２】
2020165171.tif 000004
【図３】
2020165171.tif 000005
【図４】
2020165171.tif 000006
【図５】
2020165171.tif 000007
【図６】
2020165171.tif 000008